(57)【要約】【課題】【解決手段】複数の連続紙プリンタエンジンを使用して、両面印刷、スポットカラー印刷及び磁気トナー印刷を行う印刷装置において、複数台の連続紙プリンタエンジンを同期印刷させながら印刷可能なプリンタ制御装置であって、同期印刷している複数台のプリンタエンジンをオペレータ操作により非同期印刷に移行する手段と、第１／第２のプリンタエンジン間に設けられる第１面と第２面の展開データ物理用紙長差固定値を簡易に設定する手段と、オペレータ操作により同期印刷に復帰する手段を有する。【選択図】          図５
2004351830.tif 000002
【特許請求の範囲】
【請求項１】
複数台の連続紙プリンタエンジンを同期印刷させながら印刷可能なプリンタ制御装置を備えた連続紙印刷装置において、
複数台のプリンタエンジンの同期印刷と非同期印刷とを切換選択可能な手段と、第１／第２のプリンタエンジン間に設けられる第１面と第２面の展開データ物理用紙長差固定値の設定手段とを有することを特徴とする連続紙印刷装置。
【請求項２】
複数台の連続紙プリンタエンジンを同期印刷させながら印刷可能なプリンタ制御装置を備えた連続紙印刷装置において、
同期印刷している複数台のプリンタエンジンを、オペレータ操作により非同期印刷に移行する手段と、第１／第２のプリンタエンジン間に設けられる第１面と第２面の展開データ物理用紙長差固定値の設定手段と、オペレータ操作により同期印刷に復帰する手段を有することを特徴とする連続紙印刷装置。
【請求項３】
オペレータ操作にて任意頁数の白紙印刷（ＮＰＲＯ）動作可能な手段を備えることを特徴とする請求項２記載の連続紙印刷装置。
【請求項４】
前記連続紙印刷装置は、両面印刷またはスポットカラー印刷または磁気トナー印刷可能な印刷装置であることを特徴とする請求項１乃至３記載の連続紙印刷装置。
【発明の詳細な説明】
【０００１】
【発明の属する技術分野】
本発明は複数台のプリンタエンジンを連結した連続紙印刷装置に関する。
【０００２】
【従来の技術】
片面印刷可能な連続紙プリンタを２台連結して両面印刷を行い、時には２台別々のプリンタとして片面印刷可能な構成の印刷装置がある。この種の両面印刷時のプリンタ制御方法は、２台のプリンタ（制御装置が別々に存在する）が同期印刷する方式であった。
【０００３】
同期印刷する方式の従来例として、センサ付き中間バッファ機構やホストシステムとの物理頁差を連絡する手段を介し、個々に制御装置を有するプリンタで同期印刷させる連続紙両面印刷装置がある（例えば、特許文献１参照）。このような連続紙両面印刷装置の場合、センサ付き中間バッファ機構や個々の制御装置等を有する為に、部品点数が増えてコストが増大し、また、ホストシステムから各制御装置に別々なデータを転送する複雑さや、用紙装填の難しさがあった。
【特許文献１】
特開平０７−２３７３３６号公報
【０００４】
【発明が解決しようとする課題】
従来の両面印刷走行方法では、第１片面連続紙プリンタエンジンで表面印刷された用紙をターンバで表裏逆転させ、続いて連結する第２片面連続紙プリンタエンジンで裏面を印刷する必要がある為、両面印刷の表裏同期印刷は必須であった。
【０００５】
この同期印刷において、ある両面ジョブを終了し、次のジョブを待つ状態であって、第１プリンタエンジンがあるジョブの表面群を印刷終了し、第１／第２プリンタエンジン間の距離だけ第２プリンタエンジン用描画データをメモリに格納したままの待機状態を「印刷データ待機中」と呼ぶ。
【０００６】
この時に、以下のような問題があった。
１．第１／第２プリンタエンジン間おいて用紙ジャムが発生した場合、印刷装置が検出可能な機構（センサ等）を備えておらず、次の印刷データ印刷時に装置内でジャムエラーを検出するまで検知・修正する方法が無く、無駄な用紙を消費していた。
２．オペレータが同期印刷に使用する設定値を入力する方法の為、入力した値がミスであることに気づくまで無駄な印刷が行われ、また気づいても、即座に復旧する方法がなかった。
３．ロール紙補給装置などを接続した時、物理用紙長を変えて設定するには用紙装填動作をし直す必要があった。同期印刷の為、ホストシステムからの片面印刷データを第１プリンタエンジンで印刷終了後であっても、第２プリンタエンジンまで用紙を送らないと、即時変更が出来なかった。その為、この第１／第２プリンタエンジン間の用紙が無駄になった。
【０００７】
以上の事から、結果的に、オペレータは用紙の取り外しや再装填を行わなければならなかった。これらの操作は、オペレータの手作業によって行わなければならず、ジャム修復時などの工数がかかった。また、ジャムエラー発生の際、プリンタエンジン間の用紙分が無駄になり、且つ、再用紙装填操作などで、更に用紙を消費する仕組みだった。
【０００８】
本発明の目的は、同期印刷しながら印刷している２台のプリンタエンジンを、オペレータの簡単な入力操作で非同期印刷にし、第１プリンタエンジン及び第２プリンタエンジンの用紙をオペレータが任意に前進または後退させ、任意の個所で用紙を接合出来るようにする事により、プリンタエンジン間のジャム発生時や入力ミスの為の用紙無駄、ロール紙補給装置接続時の用紙装填のオペレータ工数を削減出来る印刷装置を提供する事にある。
【０００９】
【課題を解決する為の手段】
上記課題を解決する為に、本発明では、複数台の連続紙プリンタエンジンを同期印刷させながら印刷可能なプリンタ制御装置を備えた連続紙印刷装置において、複数台のプリンタエンジンの同期印刷と非同期印刷とを切換選択可能な手段と、第１／第２のプリンタエンジン間に設けられる第１面と第２面の展開データ物理用紙長差固定値の設定手段とを有することを特徴とする。
【００１０】
また、複数台の連続紙プリンタエンジンを同期印刷させながら印刷可能なプリンタ制御装置を備えた連続紙印刷装置において、同期印刷している複数台のプリンタエンジンを、オペレータ操作により非同期印刷に移行する手段と、第１／第２のプリンタエンジン間に設けられる第１面と第２面の展開データ物理用紙長差固定値の設定手段と、オペレータ操作により同期印刷に復帰する手段を有することを特徴とする。
【００１１】
また、オペレータ操作にて任意頁数の白紙印刷（ＮＰＲＯ）動作可能な手段を備えることを特徴とする。
【００１２】
さらに、前記連続紙印刷装置は、両面印刷またはスポットカラー印刷または磁気トナー印刷可能な印刷装置であることを特徴とする。
【００１３】
したがって、印刷データ待機中のプリンタエンジン間で用紙ジャムが発生した場合やオペレータが入力ミスをした場合、更にロール紙で物理頁長を変える場合に、オペレータ自らが、同期印刷で稼動中のプリンタエンジンを非同期状態にする手段と、容易に任意のプリンタエンジンの用紙を前進または後退させる手段と、用紙を接合調整後に同期印刷する手段とを備えており、これにより、従来発生していた無駄な用紙と余分な用紙装填工数を無くすことを可能とした。
【００１４】
【発明の実施の形態】
以下、本発明の実施の形態について図面を参照して説明する。
【００１５】
図１は、本発明の両面印刷装置とその用紙走行を示す構成図である。
【００１６】
用紙の走行経路について説明する。用紙は、ロール紙補給装置１ａから、電源操作ボックス１ｂの下を通り、第１プリンタエンジン１ｅに用紙を供給する。第１プリンタエンジン１ｅにおいて、制御装置１ｈが展開した第１面画像データが、現像機１ｃからトナーの付着を受けた感光ドラム１ｄにより、供給された用紙に画像が転写される。その後、トナーは定着機１ｆにて用紙に定着される。このように、第１プリンタエンジン１ｅでトナーが定着された用紙を、ターンバ１ｇにて用紙走行方向を変えたり、表裏反転したりして、制御装置１ｈの下を通り第２プリンタエンジン１ｉに送る。
【００１７】
第１プリンタエンジン１ｅと同様に、第２プリンタエンジン１ｉで第２面描画データを印刷し、ロール紙巻取り装置１ｊに巻き取る。つまり、ターンバ１ｇにて用紙の表裏を変える事で両面印刷が可能となる。更に、ターンバ１ｇにて用紙の表裏を変えず、各プリンタエンジンのトナーを黒以外の色や磁気を帯びたトナーに交換する事で、スポットカラーや磁気トナー印刷が可能である。
【００１８】
図２は、本発明の印刷装置を説明する為のハードウェアブロック図である。
【００１９】
この印刷装置は、プリンタ制御装置２ｂと、操作パネル２ｃと、第１プリンタエンジン２ｄと、第２プリンタエンジン２ｅとで主要部が構成される。プリンタ制御装置２ｂは、ホストインターフェース２ｆ、ＣＰＵ２ｈ、ＲＡＭ２ｇ、操作パネルインターフェース２ｉ、磁気記憶装置２ｋ、第１プリンタエンジンインターフェース２ｌ、第２プリンタエンジンインターフェース２ｍと、これらを相互に接続するシステムバス２ｊとからなる。操作パネルインターフェース２ｉには、操作パネル２ｃが接続されている。各プリンタエンジンインターフェース（２ｌ、２ｍ）には、各プリンタエンジン（２ｄ、２ｅ）が接続されている。ホストインターフェース２ｆには、ホストシステム２ａが接続されている。電源投入により、磁気記憶装置２ｋから制御プロクラムがＲＡＭ２ｇのシステムエリアに格納され、起動される。ＣＰＵ２ｈは、ＲＡＭ２ｇのシステムエリアに格納された制御プログラムに従って動作し、プリンタ装置全体を制御する。
【００２０】
図３は、プリンタ制御装置の制御プログラムの説明図である。
【００２１】
制御プログラム群３ｃは、受信処理部３ｄ、画像描画部３ｅ、プリンタエンジン調整管理制御部３ｆ、操作パネル制御部３ｇ、磁気記憶装置制御部３ｈ、頁メモリ管理部３ｉ、第１プリンタエンジン制御部３ｊ、第２プリンタエンジン制御部３ｋなどからなる。ホストシステム３ａから送られてくる文書データは受信処理部３ｄで処理し、磁気記憶装置制御部３ｈに渡し、磁気ディスクに保管する。画像描画部３ｅは磁気ディスク上の文書データを描画データに展開し、頁メモリ管理部３ｉに送信する。頁メモリ管理部３ｉは文書データの描画データをメモリ上に配置管理する。この時、操作パネルからのオペレータ入力及び表示３ｂ指示により、操作パネル制御部３ｇでＲＥＡＤＹキー６ｌ押下を処理し印刷開始を指示されたら、プリンタエンジン調整管理制御部３ｆがメモリ上の描画データアドレスを引数にして各プリンタエンジン制御部（３ｊ、３ｋ）に起動を掛ける。
【００２２】
第１プリンタエンジン制御部３ｊは、プリンタエンジン調整管理部３ｆが示す描画データアドレスをもとにメモリから描画データを取り出し、第１プリンタエンジンで転写する。
【００２３】
第２プリンタエンジン制御部３ｋも同様に、プリンタエンジン調整管理部３ｆが示す描画データアドレスをもとに、メモリから描画データを取り出し、第２プリンタエンジンで転写する。プリンタエンジンでエラーが発生した場合は、プリンタエンジン調整管理制御部３ｆ及び操作パネル制御部３ｇを介して、操作パネル２ｃにエラーを表示する。
【００２４】
図４は、用紙装填機能の説明図である。ここでは、印字サンプルとして通し番号を印刷した例について説明する。この用紙装填機能は、予めオペレータ操作により入力された物理頁サイズに基づいて、オペレータの用紙装填を支援する機能である。また、プリンタ制御装置２ｂが第１プリンタエンジンと第２プリンタエンジンの同期印刷に使用する物理頁差分値を入手する手段でもある。オペレータがこの用紙装填機能をオペレータ操作パネル２ｃから選択し、Ｍ枚の物理頁印刷を指示する。プリンタ制御装置２ｂは第１プリンタエンジン感光ドラム４ａにて、１から始まる通し番号（１、２、・・、Ｎ、・・、Ｍ−１、Ｍ）を印刷し、物理頁サイズで紙送りする。その後、オペレータがターンバ４ｂを経由して第２プリンタエンジンに用紙を装填する。必要な場合は後処理機まで用紙を連続して装填する。この時、ターンバ４ｃにて用紙の表裏を反転する様に用紙装填すると、両面印刷を行う事になる。また、用紙の表裏を変えなければ、同用紙の片面のみに２重印刷するスポットカラーや磁気トナー印刷が可能である。ここでは用紙の表裏を変えた場合で説明するが、表裏を変えない場合も同様に実現する事が出来る。
【００２５】
用紙装填後、オペレータは第２プリンタエンジン感光ドラム４ｄ直前の第１面の通し番号Ｎを目視し、操作パネルよりこの番号を入力する。プリンタ印刷装置はＭ―Ｎ＋１値を第１プリンタエンジン用画面データと第２プリンタエンジン用画面データの物理頁差分値Ｌ（Ｌ＝Ｍ−Ｎ＋１）４ｆとして格納する。構造的に、Ｎ＋１通し番号を目視する事は出来ないので、目視出来るＮの通し番号をオペレータに入力させ、差分の１を加算している。この物理頁差分値Ｌ（４ｆ）は結果的にオペレータによる目視入力よりなっている。なお、第２プリンタエンジン感光ドラム４ｄ直前に、差分を検知するようセンサを設けてその値を元に設定しても良い。同期印刷では、この物理頁差分値Ｌ（４ｆ）を維持するように第１プリンタエンジンと第２プリンタエンジンの同期を取りながら印刷する。別々の片面用プリンタエンジンを連続して接続したプリンタシステムを提供するには、同期印刷は必要な制御である。
【００２６】
図５に、ＲＡＭ２ｇに格納されている描画展開後の頁メモリの配置５ｂ、各ポインタ５ｃ及び各プリンタエンジンの転写ポインタ位置とメモリ開放５ｄの関連を示す。
【００２７】
本図により、頁メモリ５ｂを使用した画像描画部３ｅ、頁メモリ管理部３ｉ、プリンタエンジン調整管理部３ｆ、各プリンタエンジン制御部（３ｊ，３ｋ）の動作と同期印刷及びメモリ開放について説明する。
【００２８】
画像描画部３ｅはプリンタエンジンへの転写に先行して、ホストシステムからの文書データを頁メモリ５ｂに画像描画データとして展開し、格納して行く。
【００２９】
この時の次に描画するメモリアドレスを描画データ展開点と称す。描画データ展開点の時間経過５ａと頁メモリの配置５ｂと各ポインタ５ｃと各プリンタエンジンの転写ポインタ位置とメモリ開放５ｄを示す。画像描画部３ｅが文書データＸ頁分の画像描画データを頁メモリ５ｂに格納している。この時、描画データ展開点５ａがＡからＥまで変化していく。
（描画データ展開点Ａの場合）
画像描画部３ｅがホストシステムから受信した最初の文書データを描画展開開始し、第１物理頁分が展開終了した時点である。頁メモリ管理部３ｉが描画データアドレスの先頭にポインタ値５ｃ（１から始まる通し番号Ｙと両面印刷を示すフラグ（０，１））をセットする。頁メモリ管理部３ｉは、ポインタ設定後プリンタエンジン調整管理制御部３ｆに通知する。プリンタエンジン調整管理制御部３ｆは、ポインタ値（通し番号とフラグ）５ｃを判断して、第１プリンタエンジン制御部３ｊにメモリアドレスを引数にして起動を掛ける。第１プリンタエンジン制御部３ｊは頁メモリ５ｂから描画データを引き出し、第１プリンタエンジンで印刷させる。また、プリンタエンジン調整管理制御部３ｆは、第２プリンタエンジン制御部３ｋにも引数無しで同時に起動を掛ける。第２プリンタエンジン制御部３ｋは引数無しの場合、白紙１頁印刷するように予め取り決めてあり、白紙印刷する。続けてプリンタエンジン調整管理部３ｆはポインタの更新時まで待機する。更に、この時、各プリンタエンジン制御部（３ｊ，３ｋ）はプリンタエンジンのエラーを監視する。これらにより、第１プリンタエンジンと第２プリンタエンジンの間にセンサを有した中間バッファ機構を使用せずともエラーを確認し、それに対処可能となった。
（描画データ展開点Ｂの場合）
画像描画部３ｅが画像描画データ処理を続け、ポインタ値５ｃが物理頁長差分値Ｌの２倍になる前の時点である。プリンタエンジン調整管理制御部３ｆはフラグを判断し、両面印刷（フラグ＝１）の時、第１プリンタエンジン制御部３ｊは奇数ポインタの示すメモリアドレスを処理し、第２プリンタエンジン制御部３ｋは白紙印刷を続ける。
（描画データ展開点Ｃの場合）
ポインタ値５ｃが物理頁長差分値Ｌの２倍を超えて画像描画データ処理が進んだ時点である。この時、プリンタエンジン調整管理制御部３ｆはフラグを判断し、第１プリンタエンジン制御部３ｊはそのまま奇数ポインタを示すメモリアドレスを順次処理し続け、ここで始めて第２プリンタエンジン制御部３ｋが偶数ポインタの示すメモリアドレスを処理し始める。
（描画データ展開点Ｄの場合）
印刷データ頁数Ｘが物理頁長差分値の２倍を超えないで終了した時、つまり、ある印刷ジョブの頁枚数が少ない場合に起きるホストシステムからの印刷データ待機を示す。この状態は第２プリンタでの裏面が描画されないで残った状態である。
（描画データ展開点Ｅの場合）
次の印刷ジョブの印刷データを処理する場合である。第１面と第２面の表裏位置を及びメモリ開放の為に、ポインタは連続した値にする必要がある。直前の印刷ジョブ頁数が奇数で終る場合は、画像描画部３ｅが白紙描画データを挿入し、偶数ポインタで終了するようにした。これにより、次の印刷ジョブの第１頁が必ず表面から描画可能となる。
【００３０】
一方、リカバリーの為に、描画データ頁数Ｘが物理長差分値Ｌの２倍と第２プリンタエンジンの感光ドラムから定着機までの物理長を加算した値より超える場合に、プリンタエンジン調整管理制御部３ｆは頁メモリ管理部３ｉに対して第２プリンタエンジンで印刷保証済みのポインタを通知し、このポインタをもとに頁メモリ管理部３ｉは頁メモリを開放する。結果的に、図５のようなリング形状のメモリ管理とした。
【００３１】
また、印刷データ待機中に各プリンタエンジンの印刷位置微調整用ＦＦ（Ｆｒｏｍ  Ｆｅｅｄ）キー（図示せず）などを押下された場合、表裏位置ズレが発生する。１頁毎の各プリンタエンジン制御部（３ｊ，３ｋ）起動時に、これらをエンジンエラーとして常に監視するようにした。
【００３２】
図６は、メイン画面６ａと物理頁長差調整サブ画面６ｃを説明する為の図である。ここでは、メイン画面６ａ、メイン画面６ａからの選択するペイパーロード項目６ｂ、ペイパーロード項目６ｂから選択された物理頁長差調整サブ画面６ｃを用いて、オペレータの入力方法及び同期／非同期移行動作を説明する。
【００３３】
メイン画面６ａは、ＲＥＡＤＹキー６ｌを押下すると、受信した印刷データの印刷を開始する。ＳＴＯＰキー６ｍを押下すると、印刷中のプリンタエンジンを停止する。ＣＨＥＣＫキー６ｏは、エラー発生時にリセット処理を行う。具体的には第１プリンタエンジン、第２プリンタエンジンをリセットする。
【００３４】
非同期印刷中は、メイン画面６ａの左右下部にあるＳＴＯＰキー６ｍ、ＮＰＲＯキー６ｎ、ＣＨＥＣＫキー６ｏは各々第１プリンタエンジン及び第２プリンタエンジンを個別に制御出来るようにした。
【００３５】
同期印刷時は、第１／第２プリンタエンジンの区別がなく、ＳＴＯＰキー６ｍ、ＮＰＲＯキー６ｎ、ＣＨＥＣＫキー６ｏは２台のプリンタエンジンを一体と見なし、左右どちらを押下しても同じ動作をする。この同期印刷の時、ＮＰＲＯキー６ｎを押下すると、第１プリンタエンジンは物理頁長差分値と感光ドラムから定着機までの固定長を加算した頁分を白紙印刷し、同期して第２プリンタエンジンは物理頁長差分値Ｌだけの裏面データを印刷した後、感光ドラムから定着機までの白紙頁を印刷する。
【００３６】
本発明では、２台のプリンタエンジンの印刷動作を非同期にする為、同期印刷中にＳＴＯＰキー６ｌを押下した時、メイン画面６ａのタスクバーのペイパーロード（ＰａｐｅｒＬｏａｄ）設定項目６ｂを選択出来るようにした。具体的には、物理長差分調整サブ画面（ＤｅｌｔａＳｅｔ）６ｃを選択した時に、非同期印刷に移行し、物理頁差調整サブ画面６ｃが表示されるようにした。
【００３７】
物理頁長差調整サブ画面６ｃは、物理頁長差分値Ｌを直接入力、または現在の物理頁長差分値Ｌを表示する物理頁長差分値Ｌ表示入力エリア６ｆ（英語用画面ではＤｅｌｔａＰａｇｅｓと表示）と、第１プリンタエンジンの白紙印刷枚数設定値エリア６ｅと、第１プリンタエンジンの白紙印刷開始／停止キー６ｄ（英語用画面では「ＮｐｒｏＥＵ１」または「ＳｔｏｐＥＵ１」を表示）と、第２プリンタエンジンの白紙印刷枚数設定値エリア６ｈと、第２プリンタエンジンの白紙印刷開始・停止キー６ｇ（英語用画面では「ＮｐｒｏＥＵ２」または「ＳｔｏｐＥＵ２」を表示）とを設けた。
【００３８】
これらの白紙印刷開始・停止キー（６ｄ、６ｇ）は、各々のプリンタエンジンがＮｐｒｏ動作中は、ＳｔｏｐＥＵ１（第１プリンタエンジン用）とＳｔｏｐＥＵ２（第２プリンタエンジン用）を表示し、Ｓｔｏｐ状態ではＮｐｒｏＥＵ１（第１プリンタエンジン用）とＮｐｒｏＥＵ２（第２プリンタエンジン用）を表示する。また、物理頁長差値Ｌをカウンタに保管指示する為のＯＫキー６ｉと、保管指示をキャンセルする為のＣａｎｃｅｌキー６ｋと、白紙印刷動作時のプリンタエンジンエラーをリセット指示する為のＣｈｅｃｋキー６ｊを合わせて設けた。
【００３９】
図７は、操作パネル制御部３ｇの物理頁長差調整サブ画面６ｃを制御するフロー図である。印刷待機中の用紙ジャムが発生し、オペレータ自らが行う動作を踏まえて操作方法を説明する。このサブ画面制御フローは、操作パネル制御部３ｇに組み込まれ、プリンタ印刷装置２ｂの処理の信頼性を増す為、ＳＴＯＰ状態のみしか稼動しないように条件を付けている。この条件において、オペレータがタスクバーのペイパーロード項目６ｂを選択出来る。このペイパーロード項目６ｂに、物理頁長差調整サブ画面選択項目（図示せず）がある。この物理頁長差調整サブ画面６ｃを選択されると、非同期印刷への移行処理ルーチンが実行出来るようにした。
【００４０】
印刷データ待機中に用紙ジャムが発生した時、プリンタエンジン間の用紙たるみ量をオペレータが見て差分値の入力ミスが判った時、更にロール紙を使用していて片面印刷終了時に物理頁長を変えなければならない時に、オペレータが自らまずこの物理頁長差調整サブ画面選択項目を選択する（Ｓ１）。印刷装置はこの動作を選択されると、エラー修復後の再印刷用に各ポインタ等を格納する（Ｓ２）。続けて物理頁長差調整サブ画面６ｃを表示する（Ｓ３）。
【００４１】
オペレータはジャム時に破断した用紙を取り除き、取り除いた分の物理頁枚数を、第１プリンタエンジンの白紙印刷枚数設定値エリア６ｅに入力し、第１プリンタエンジンの白紙印刷開始／停止キー６ｄを押下して（Ｓ４）、その頁分の数の白紙印刷制御を行う（Ｓ５）。この時、オペレータは破断した用紙を整形し、テープなどで張り合わせる。その後、用紙たるみがあるか確認し、たるみ量が多すぎた場合は第２プリンタエンジンの白紙印刷枚数設定値エリア６ｈに入力し、第２プリンタエンジンの白紙印刷開始／停止キー６ｇを押下して（Ｓ６）、白紙印刷調整する（Ｓ７）。ロール紙を使用したり、単なる入力ミスなどは物理頁長差分値を物理頁長差分値表示入力エリア６ｆに直接入力する（Ｓ８）。各カウンタ及びポインタを算出しメモリエリアに格納する（Ｓ９）。物理頁長差分値の入力に失敗しても再入力出来るが、初期値に戻せるようにＣａｎｃｅｌキー６ｋを設けている（Ｓ１０）。
【００４２】
最後に、用紙たるみ量や物理頁差分値が正しければＯｋキー６ｉを押下することにより（Ｓ１１）、初期値のカウンタ等を破棄して新しいポインタやカウンタを保管して（Ｓ１２）、同期印刷に移行する（Ｓ１３）。物理頁長差調整サブ画面を終了してメイン画面に戻る（Ｓ１４）。
【００４３】
【発明の効果】
本発明による連続紙印刷装置は以下のような優れた効果を発揮する。
【００４４】
印刷データ待機中にジャムが発生した時、オペレータの入力ミスによる表裏のズレが発生した時、及びロール紙により物理頁長を変更したい時、同期印刷から非同期印刷にする事で、用紙装填機能を使わずに、容易に再設定が可能であり、用紙装填時の用紙が節約出来る。また、用紙装填の手間もかからない。
【００４５】
ジャム等にて用紙切れがあった場合、非同期印刷にして、物理頁長差サブ画面６ｃ機能の任意数指定白紙印刷指示手段により、自由に第１／第２プリンタエンジンに装填された用紙の送りができ、任意の個所で用紙を接合でき、オペレータの操作性向上と無駄な用紙の排出を防止出来る。
【００４６】
ミシン目無しのロール紙を使用する場合は、物理頁を変えられるので、ホストシステムからの文書データで別の物理頁用紙長を要求されても、この物理頁差分値を再入力するだけでよい為、同期印刷調整を容易にでき、物理長が変わっても再装填作業及び無駄な用紙をなくす事が出来た。
【図面の簡単な説明】
【図１】本発明の機能を示す、両面印刷装置と用紙走行の説明図である。
【図２】本発明の一実施例を示す、ハードウェアブロック説明図である。
【図３】本説明の一実施例を示す、制御プログラムブロック説明図である。
【図４】本発明の一実施例を示す、用紙装填説明図である。
【図５】本発明の一実施例を示す、同期印刷原理の説明図である。
【図６】本発明の一実施例を示す、操作パネルの説明図である。
【図７】本発明の一実施例を示す、制御フロー概念図である。
【符号の説明】
１ａはロール紙給紙装置、１ｂは電源操作ボックス、１ｃは第１プリンタエンジンの現像機、１ｄは第１プリンタエンジンの感光ドラム、１ｅは第１プリンタエンジン、１ｆは第１プリンタエンジンの定着機、１ｇはターンバ、１ｈは制御装置と操作パネル、１ｉは第２プリンタエンジン、１ｊはロール紙巻取り装置、２ａはホストシステム、２ｂはプリンタ印刷制御装置、２ｃは操作パネル、２ｄは第１プリンタエンジン、２ｅは第２プリンタエンジン、２ｆはホストインターフェース、２ｇはＲＡＭ、２ｈはＣＰＵ、２ｉは操作パネルインターフェース、２ｊはシステムバス、２ｋは磁気記憶装置、２ｌは第１プリンタエンジンインターフェース、２ｍは第２プリンタエンジンインターフェース、３ａはホストシステム、３ｂはオペレータ入力及び表示、３ｃは制御プログラム群、３ｄは受信処理部、３ｅは画像描画部、３ｆはプリンタエンジン調整管理制御部、３ｇは操作パネル制御部、３ｈは磁気記憶装置制御部、３ｉはメモリ管理部、３ｊは第１プリンタエンジン制御部、３ｋは第２プリンタエンジン制御部、４ａは第１プリンタエンジンの感光ドラム、４ｂは第１プリンタエンジンの定着機、４ｃはターンバ、４ｄは第２プリンタエンジンの感光ドラム、４ｅは第２プリンタエンジンの定着機、５ａは描画データ展開の時間経過、５ｂは頁メモリの配置、５ｃはポインタ、５ｄは各プリンタエンジンの転写ポインタ位置とメモリ開放、６ａはメイン画面、６ｂはペイパーロード項目、６ｃは物理頁長差調整サブ画面、６ｄは第１プリンタエンジン白紙印刷開始・停止キー、６ｅは第１プリンタエンジン白紙枚数入力エリア、６ｆは物理頁長差分値Ｌ表示入力エリア、６ｇは第２プリンタエンジン白紙印刷開始・停止キー、６ｈは第２プリンタエンジン白紙枚数入力エリア、６ｉはＯｋキー、６ｊはＣｈｅｃｋキー、６ｋはＣａｎｃｅｌキー、６ｌはＲＥＡＤＹキー、６ｍはＳｔｏｐキー、６ｎはＮＰＲＯキー、６ｏはＣＨＥＣＫキーである。
【図１】
2004351830.tif 000003
【図２】
2004351830.tif 000004
【図３】
2004351830.tif 000005
【図４】
2004351830.tif 000006
【図５】
2004351830.tif 000007
【図６】
2004351830.tif 000008
【図７】
2004351830.tif 000009